(57)【要約】      （修正有）【課題】バッグ、身装品等に紐で付着する時計付きぬいぐるみやマスコットなどにおいて、時計を衝撃から守り、容易で自在に時計本体をぬいぐるみ又はマスコットから着脱する事ができ、また、ぬいぐるみやマスコットに所有者のＩＤ情報を明示するための堅牢なＩＤカードを付設した携帯時計を提供する。【解決手段】ぬいぐるみ又はマスコットなどの基体１の適宜な位置に一定の深さの凹孔１ａを形成させ、当該凹孔底部１ｂにはクッション部材として面ファスナーの一方６ａを配設し、基体の凹孔径よりもわずかに小さな直径を有し裏面に面ファスナーの一対のもう一方６ｂを固着した時計２を挿入、嵌着する。更に、基体及びまたは係着部材３の一面に堅牢な材質のＩＤカード５ａ，５ｂを背面に付着させ、基体と係着部材を紐により連接してバッグ等へ掛け止めできる構成とする。【選択図】図３
0003172800.tif 000002
【実用新案登録請求の範囲】
【請求項１】
バッグ、ステッキ、傘、身装品等に掛け止めできるように時計を装着した基体と係着部材とを紐によって連接させた携帯時計であって、基体の適宜な位置の表側から一定の深さの凹孔を形成し、当該凹孔底部にはクッション部材として面ファスナーの一方を配設し、基体の凹孔径よりもわずかに小さな直径を有する通常の胴体部分で形成された時計本体の裏側に面ファスナーの一対のもう一方を固着し、時計本体を挿入、嵌着し、自在に着脱でき、着せ替え出来ることを特徴とする携帯時計。
【請求項２】
時計の表面が基体表面と一致乃至わずかに突出することを特徴とする請求項１記載に携帯時計。
【請求項３】
基体及びまたは係着部材の一面にＩＤカードとして使用するための板を取り付けてなることを特徴とする請求項１記載の携帯時計
【考案の詳細な説明】
【技術分野】
【０００１】  この考案は、バッグ等に掛け止めできるようになされた基体と係着部材を紐によって連接させた携帯時計であって、基体の一部に時計がはめ込まれた携帯時計に関する。
【背景技術】
【０００２】  従来より、ぬいぐるみやマスコットとして構成された基体の一部に貫通孔が設けられ、その孔に長い胴体部分を持つ特殊な時計を嵌め込んでなる携帯時計は存在する。また、ぬいぐるみをアクセサリーとして、バッグ、身装品に付着する技術はある。
【先行技術文献】
【特許文献】
【０００３】
【特許文献１】特開２００３−２９９８８４
【特許文献２】特開平５−１２３４５６
【特許文献３】意匠登録第１２４７３９７号
【特許文献４】実用新案登録第３１０２７６９号
【考案の概要】
【考案が解決しようとする課題】
【０００４】  ぬいぐるみやマスコット等を構成する基体に時計本体を装着する従来技術では、ぬいぐるみ本体に貫通する孔を形成し、当該孔に時計本体を嵌め込む技術（特開２００３−２９９８８４）は有るが、此の場合、時計本体の胴体部分は分厚いぬいぐるみに対応すべく特別な長さを必要とされる特殊な構造が求められるが、その技術の説明は皆無である。また、時刻を正確に読み取るために、時計本体をぬいぐるみに正確な位置決めをして固定化する技術が不十分である。更に、時計本体が正確な位置決め固定をされていないために、ぬいぐるみ又はマスコットの上下動、水平動、回転等の変動に耐えられる固定化の技術が不明である。【０００５】  また、ぬいぐるみをアクセサリーとして、バッグ、身装品に付着する技術（特開平５−１２３４５６）はあるが、時計本体を構成する駆動体はこの技術の持つ磁石が発する磁力線で不具合に陥る危険性が大である。【０００６】  更に、従来型の時計本体をぬいぐるみやマスコットの外部に飛び出た形態で付着させる形態（意匠登録第１２４７３９７号、実用新案登録第３１０２７６号）はあるが、時計本体の飛び出している外部が直接受ける衝撃、又は外部から加えられる損傷とを防護出来にくい構造である。しかも時計本体がぬいぐるみ又はマスコットから外部に飛び出している外観は、甚だ美観を損なう形態であり、一体感を欠く形態である。その上、ぬいぐるみやマスコットからの時計本体の脱着には、熟練の技術と工具がないと、容易にできない不都合な構造である。
【課題を解決するための手段】
【０００７】  本考案は、ぬいぐるみ又はマスコットなどを構成する基体の適宜な位置の表側から一定の深さの凹孔を形成させ、当該凹孔底部にはクッション部材として面ファスナーの一方を配設し、基体の凹孔径よりもわずかに小さな直径を有する通常の時計本体の胴体部分で形成され、裏側に面ファスナーの一対のもう一方を固着した時計を挿入、嵌着するものであるので、これゆえ時計は着脱自在になされ、時計を他の基体等へ着せ替えする事も容易である。更に、基体及びまたは係着部材の一面に堅牢な材質のＩＤカードを付着させ、基体と係着部材を紐により連接してバッグ、ステッキ、身装品、傘等へ掛け止めできる構成を有している。
【考案の効果】
【０００８】本考案は、従来技術に改善を加え、新しい便益性を以下に提案するものである。
（１）基体の表側をくり抜いた一定の深さの凹孔に時計本体を嵌め込み、基体の凹孔の底部と時計本体の裏側とにそれぞれ面ファスナーを固着させ、時計本体を自在に着脱でき、着せ替えを容易にできる新しい利便性を提供するものである。
（２）基体と時計は、クッション効果が高い面ファスナーにより基体に掛かる衝撃が十分に緩和され、時計への破壊的ダメージを防げる利便性を提供するものである。
（３）基体の表側をくり抜く際に、時計の胴体部分から水平に突出したリュウズを収納させる空間を形成し、基体における時計の位置決めを確定する利便性を提案するものである。
（４）基体の持つ固有の美観を減殺しないために、時計本体の胴体部分を基体に嵌め込み、一体感を向上させ、調和美を向上させる利便性を提案するものである。
（５）バッグ、身装品、ステッキ、傘等に基体を付着させるために、時計本体の駆動体に悪影響のある磁石を使用しない方法を新たな利便性として提案するものである。
（６）一般通念の胴体部分を持つ時計本体を使用する事で、特殊で長い胴体部分をもつ時計本体の煩雑な製造工程を回避でき、生産効率を高くし、廉価に生産できる新しい製造方法の利便性を提案するものである。
（７）基体及びまたは係着部材の背面にＩＤカードを付着し、所有者のＩＤ情報（名前、住所、生年月日、血液型等）を明示させることにより、救急時の緊急対応や、盗難、置き忘すれ等の予防に対応出来る新しい利便性を提案するものである。
（８）基体及び係着部材の背面に堅牢なＩＤカードを付着させ、外部から加わる衝撃、圧力とから、基体及び係着部材を保護する利便性を提案するものである。
【図面の簡単な説明】
【０００９】
【図１】  本考案の携帯時計の全体を示す図である。
【図２】  本考案の携帯時計の全体背面を示す図である。
【図３】  本考案の携帯時計の基体を時計部分の略中央略断面を示す図である。
【図４】  図３における内部構造を省略した時計部分縦断面拡大図である。
【考案を実施するための形態】
【００１０】  本考案の実施の形態を図面に基づき説明する。図１乃至図４は本考案の実施の形態を示すものである。
【００１１】  図１において、１は基体を示しており、２は基体１にくり抜かれた凹孔１ａにはめ込まれた時計を示しており、３は基体１をバッグ等に係止させるための補助部材として使用する係着部材を示し、４は基体１と係着部材３とを連接する紐を示している。
【００１２】  基体１の材質は軽くて丈夫な木材が最適であるが、プラスティック、繊維、金属等でも構わない。また基体１の外側に印刷や彫刻などで美観を呈する装飾を施しても良く、或いは人形や動物の形をしたぬいぐるみで覆っても良い。
【００１３】  時計２はありふれたアナログ形式の時計でもデジタル表示方式の時計でも構わないが、胴体部分から水平に突出したリュウズ７は、基体１における時計２の位置決めに貢献できる役割を果たす。（図１）
【００１４】  係着部材３は基体１と同様に、軽くて丈夫な木材が最適であるが、プラスティック、繊維、金属等でも構わない。また外側に印刷や彫刻などで美観を呈する装飾を施しても良く、或いはぬいぐるみで覆って人形や動物のぬいぐるみなどにも適用できる。
【００１５】  紐４は丈夫な革が望ましいが、繊維製やプラスティック製或いはゴム製であっても良い。また紐４は、バッグ、ステッキ、傘、身装品等への巻き付け係止のため２本構成が望ましいが１本であっても構わない。
【００１６】  また、基体１およびまたは係着部材３の背面にはＩＤカードとして使用されることを目的とした強固な板５ａ並びに５ｂが固設されている（図２）。
【００１７】  時計表面２ａは基体１に対してほとんど露出しないようにはめ込まれている（図３）。
【００１８】  時計２を基体１に装着するには、一対の面ファスナー６の一方６ａを基体１の凹孔１ａの底部１ｂに接着剤等により固着し、そこに面ファスナー６のもう一方６ｂを裏面２ｂに強固に貼り付けた時計２を装着すればよく、また時計２を基体１から取り外したい時は時計２を強く引っ張れば面ファスナー６は分離し、容易に取り出すことができ、ぬいぐるみ又はマスコットの着せ替えも自在にできる。（図４）。
【符号の説明】
【００１９】１    基体
１ａ  凹孔
１ｂ  凹孔底部
２    時計
２ａ  時計表面
２ｂ  時計裏面
３    係着部材
４    紐
５ａ  板
５ｂ  板
６    面ファスナー
６ａ  面ファスナーの一方側
６ｂ  面ファスナーのもう一方側
７    リューズ
【図１】
0003172800.tif 000003
【図２】
0003172800.tif 000004
【図３】
0003172800.tif 000005
【図４】
0003172800.tif 000006